(57)【要約】      （修正有）【課題】介護者が被介護者に腕を貸したり、肩を貸したりする程度の最小限の介助をすれば、被介護者の力で車椅子とベッド間の移動が可能になる被介護者用の移動案内板を提供する。【解決手段】移動案内板は、肘掛けを取り除いた側を寄せてベッドＢ１に横付けした車椅子Ｃ１の座板２と、ベッドＢ１の間に架橋し、被介護者をその臀部において案内して車椅子Ｃ１とベッドＢ１の間を移動させる湾曲型のものである。裏面の中間部は滑り止め面となっているが、その他の面は滑り易い滑面となっている。【選択図】図１
0003161344.tif 000002
【実用新案登録請求の範囲】
【請求項１】
肘掛けを取り除いた側を寄せてベッドに横付けした車椅子の座板の上面と前記ベッドの
上面の間に架橋し、着座している被介護者をその臀部において案内して車椅子とベッドの間を移動させる湾曲型の案内板であって、一端部が車椅子の座板の上面への載置部、他端部がベッドの上面への載置部となっており、表面が滑面、両載置部の裏面が滑面、両載置部の間の裏面が滑り止め面となっていることを特徴とする被介護者の移動案内板。
【請求項２】
寄せて並列したベッドとベッドの間に架橋し、横臥した被介護者を案内して両ベッド間を移動させる長方形の案内板であって、一端部が一方のベッドの上面への載置部、他端部が他方のベッドの上面への載置部となっており、表面が滑面、両載置部の裏面が滑面、両載置部の間の裏面が滑り止め面となっていることを特徴とする被介護者の移動案内板。
【考案の詳細な説明】
【技術分野】
【０００１】
本考案は、車椅子とベッドの間及びベッドとベッドの間の被介護者の移動を容易にする被介護者の移動案内板に関するものである。
【背景技術】
【０００２】
介護者が被介護者を車椅子からベッドへまたはその逆へと移動させる場合、従来は、介護者が被介護者の両脇下から背中にかけて腕を回して抱え上げている。
【０００３】
このように、一人の介護者が被介護者を抱え上げるような作業は、介護者に過重な負担をかけ、介護者の腕痛、腰痛、肩こり等の原因となっている。
【先行技術文献】
【特許文献】
【０００４】
【特許文献１】特開平８−２８０７５６
【特許文献２】特開平９−３８１４０
【特許文献３】特開２００６−１９８３６９
【特許文献４】実用新案登録第３１０６３３６
【考案の概要】
【考案が解決しようとする課題】
【０００５】
本考案は、このような従来の問題点を解決するためになされたもので、介護者が被介護者に腕を貸したり、肩を貸したりする程度の最小限の介助をすれば、車椅子とベッドの間やベッドとベッドの間の被介護者による移動が可能になる被介護者の移動案内板を提供することを課題とする。
【課題を解決するための手段】
【０００６】
本考案が提供する被介護者の移動案内板は、次の（１）及び（２）に記載のものである。
【０００７】
（１）肘掛けを取り除いた側を寄せてベッドに横付けした車椅子の座板の上面と前記ベッドの上面の間に架橋し、着座している被介護者をその臀部において案内して車椅子とベッドの間を移動させる湾曲型の案内板（以下、第１の案内板という。）
第１の案内板は、一端部が車椅子の座板の上面への載置部、他端部がベッドの上面載置部となっている。
また、第１の案内板は、表面が滑面、両載置部の裏面が滑面、両載置部の間の裏面が滑り止め面となっている。
【０００８】
（２）寄せて、並列したベッドとベッドの間に架橋し、横臥した被介護者を案内して両ベッド間を移動させる長方形の案内板（以下、第２の案内板という。）。
第２の案内板は、一端部が一方のベッドの上面への載置部、他端部が他方のベッドの上面への載置部となっている。また、第２の案内板は、表面が滑面、両載置部の裏面が滑面、両載置部の間の裏面が滑り止め面となっている。
【考案の効果】
【０００９】
（１）第１の案内板は、湾曲型になっているので、車椅子の座板の前縁とベッドの側縁に沿うように架橋できる。
このため、車椅子の座板に着座している被介護者は、その前側に立つ介護者の手や肩を借りながら、案内板の上を臀部において滑りながら移動してベッドの縁に座ることができる。その反対方向への移動も可能である。この間、介護者が被介護者を持ち上げたり、抱き上げたりする必要はなくなる。
【００１０】
第１の案内板の表面は、滑面となっているので、被介護者の臀部が滑り易く、被介護者の移動が容易になる。
第１の案内板の載置部は、その両面が滑面となっているので、被介護者と座板面との間、被介護者とベッドとの間への差し込みが容易であり、また、ここからの抜き出しも容易である。
また、第１の案内板の裏面の滑り止め面は、使用中における同案内板のずれや移動を防止できる。
【００１１】
（２）第２の案内板は、ほぼ長方形になっているので、寄せて並列したベッドとベッドの間に架橋できる。また、第１の案内板同様、車椅子とベッドの間に架橋して使用することもできる。第２の案内板は、ベッドとベッドの間の任意の位置に、必要な枚数だけ架橋できる。
このため、ベッドに横臥している被介護者は、ベッドの前後に立つ介護者が手を貸したり、押したり、引いたりする程度の最小限の介助で、案内板の上を滑りながら一方のベッドから他方のベッドへ移動できる。その反対方向への移動も可能である。従来のように、介護者が被介護者を持ち上げたり、抱え上げたりする必要はなくなる。
【００１２】
また、第２の案内板を、第１の案内板と同様に車椅子とベッドの間に架橋して使用する場合、長辺を比較的短くした長方形板とすることによって、介護者の手を借りることなく、被介護者自身の手で車椅子の座板とベッドの間に架橋して使用することができる。
【００１３】
第２の案内板の表面は、滑面となっているので、その上に乗せられた被介護者は滑り易く、その移動が容易になる。
第２の案内板の載置部は、その両面が滑面となっているので、横臥した被介護者とベッドの間への差し込みが容易であり、ここからの抜き出しも容易である。
また、第２の案内板の裏面の滑り止め面は、被介護者が移動するときの案内板のずれや移動を防止することができる。
【図面の簡単な説明】
【００１４】
【図１】実施例１の、被介護者の移動案内板とその使用状態を示す平面図
【図２】実施例２の、被介護者の移動案内板とその使用状態を示す平面図
【図３】実施例３の、被介護者の移動案内板とその使用状態を示す平面図
【図４】図１の、移動案内板とその使用態様を説明する図
【図５】図１の、移動案内板とその使用態様の一例を示す斜視図
【図６】図３の、移動案内板とその使用態様の一例を示す斜視図
【考案を実施するための形態】
【００１５】
以下に、本考案の実施の形態を実施例によって説明する。
【実施例１】
【００１６】
実施例１は、第１の案内板の実施例である。図１は、実施例１の移動案内板Ｐ1とその使用状態を示す平面図である。図４は、図１の使用態様を説明する斜視図である。図５は、図１の一使用態様を示す斜視図である。
図において、Ｂ1はベッド、Ｃ1はベッドＢ1に横付けした車椅子、Ｐ1は車椅子Ｃ1とベッドＢ1の間に架橋した被介護者の移動案内板（以下、案内板という。）である。
車椅子Ｃ1の左側の肘掛けは取り外されている。１は右側の肘掛け、２は座板、３は背もたれである。
案内板Ｐ1は、平面形状が湾曲型または曲状ビーンズ型になっていて、その一端部が車椅子Ｃ1の座板２への載置部４、他端部がベッドＢ１の上面への載置部５となっている。
【００１７】
車椅子Ｃ1に着座している被介護者がベッドＢ1に移動する場合は、図１に示すように、左側の肘掛けを取り外し、この取り外した側をベッドＢ1の右側面に寄せて同ベッドＢ1に横付けする。
ついで、案内板Ｐ1の一方の載置部４を、介護者の臀部と座板２の間に差し込んで座板２の上に置く。そして、他方の載置部５はベッドＢ1の上面に置く。
このようにすると、案内板Ｐ1は、車椅子Ｃ1の座板２とベッドＢ1の間の隙間の上を横切ってベッドＢ1の側縁に沿うように、湾曲状に架橋される。
【００１８】
案内板Ｐ１は、実施例１では、前述のように湾曲型、または曲状ビーンズ型になっている。したがって、車椅子Ｃ1の前側に立つであろう介護者からみれば、図４に示すように、案内板Ｐ1はその上を移動する被介護者を介助し易い位置に架橋されることになる。
【００１９】
案内板Ｐ1が架橋されると被介護者は、図５に示すように、介護者の手や肩を借りながら、自らの力で案内板Ｐ1の上を臀部において滑りながらベッドＢ1まで移動することができる。
【００２０】
実施例の案内板Ｐ1は、繊維強化プラスチックで作られている。表面は滑面加工が施されていて、その上に座った介護者の臀部が滑り易くなっている。載置部４、５の裏面も滑面加工が施されている。このため、両載置部４、５の臀部下への差し込みが容易である。また、ここからの抜き出しも容易である。
裏面のうち、載置部４と５間には、滑り止め加工が施されていて、案内板Ｐ1の使用中におけるずれや移動を防止できるようになっている。
【００２１】
なお、ベッドＢ1から車椅子Ｃ1への移動も同様に説明できる。
【実施例２】
【００２２】
実施例２は、第１の案内板の他の実施例である。図２は、実施例２の移動案内板Ｐ2とその使用状態を示す平面図である。
車椅子によっては、図２に示す車椅子Ｃ２のように、左側の肘掛けを取り外しても、車輪のタイヤ６が座板７の上面から出るものもある。なお、８は肘掛け、９は背もたれである。
【００２３】
このタイプの車椅子Ｃ２の場合、これとベッドＢ２の間に実施例１の移動案内板Ｐ１を架橋しようとしても、タイヤ６が邪魔になってうまくいかない。
【００２４】
このため、実施例２の移動案内板Ｐ２は、架橋したとき、その平面形状がタイヤ６と干渉しない形状になっている。すなわち、図１に示す実施例１の移動案内板Ｐ１との比較で云えば、その座板２側の端部を座板２の後方へ延伸した形状になっている。平面形状で云えば、Ｓ字型（スネーク型）に見えるが、実質的には実施例１の湾曲型の案内板Ｐ１の変形例である。その他の構成は、実施例１の移動板Ｐ１と本質的に異なるところはない。
【００２５】
被介護者が実施例２の案内板Ｐ２を使って移動する場合は、差し込まれた案内板Ｐ２に乗せた臀部を座板７の前側へ少しずらしてから、案内板Ｐ２の上を移動することになる。  この点が、実施例１の移動案内板Ｐ１を使用する場合と異なる。その他の作用効果は実施例１のそれとおなじである。
【実施例３】
【００２６】
実施例３は、第２の案内板の実施例である。図３は、実施例３の移動案内板Ｐ３とその使用状態を示す平面図である。図６は、図３の一使用態様を示す斜視図である。
図において、Ｂ３はベッド、Ｂ４はベッドＢ３に寄せてこれと並列したストレッチャー（ベッド）、Ｐ３はベッドＢ３とストレッチャーＢ４の間に架橋した被介護者の移動案内板（以下、移動板という。）である。
案内板Ｐ３は、平面形状が長方形でその一端部がベッドＢ３の上面への載置部５２、他端部がストレッチャーＢ４の上面への載置部４２となっている。
【００２７】
ストレッチャーＢ４上に横臥している被介護者をベッドＢ３に移動させる場合は、案内板Ｐ３の一方の載置部４２を被介護者の下に差し込んでストレッチャーＢ４の上に置く。他方の載置部５２はベッドＢ３の上に置く。このようにすると、案内板Ｐ３は両ベッドＢ３、Ｂ４間に架橋できる。
案内板Ｐ３が架橋されたところで、図６に示すようにベッドＢ３、Ｂ４の前後に立つ介護者が被介護者の背と脚を押すか、引くかすると、被介護者は案内板Ｐ３の上を滑りながらベッドＢ３へ移動できる。ベッドＢ３からストレッチャーＢ４への移動も同様に説明できる。なお、被介護者は搬送用シート等に乗せて移動させることもできる。  
【００２８】
案内板Ｐ３の表面と裏面には、実施例１，２の案内板Ｐ１，Ｐ２と同様の表面処理が施されている。したがって、それらの奏する作用効果も案内板Ｐ１、Ｐ２と本質的に異なるところはない。
【符号の説明】
【００２９】
Ｐ１、Ｐ２、Ｐ３        移動案内板
Ｃ１、Ｃ２              車椅子
Ｂ１、Ｂ２、Ｂ３        ベッド
Ｂ４                    ストレッチャー（ベッド）
１、８                  肘掛け
２、７                  座板
３                      背もたれ
４、５、４２、５２      載置部
６                      タイヤ
【図１】
0003161344.tif 000003
【図２】
0003161344.tif 000004
【図３】
0003161344.tif 000005
【図４】
0003161344.tif 000006
【図５】
0003161344.tif 000007
【図６】
0003161344.tif 000008